【手続補正書】
【提出日】平成19年12月3日(2007.12.3)
【手続補正１】
【補正対象書類名】特許請求の範囲
【補正対象項目名】全文
【補正方法】変更
【補正の内容】
【特許請求の範囲】
【請求項１】
無線周波数（ＲＦ）呼掛け信号に応答するように動作可能な取引デバイスを備えた取引システムであって、
該取引デバイスは、
呼掛け信号を受信し、金融取引アカウントデータを搬送する応答信号を送信するように構成されたトランスポンダであって、該金融取引アカウントデータは、アカウント番号とアカウント期限日とを含む、トランスポンダと、
該呼掛け信号を認証するために該トランスポンダと通信する取引デバイス認証回路と、
該金融取引アカウントデータを格納し、かつ、該金融取引アカウントデータを該取引デバイス認証回路に提供するように構成された取引デバイスデータベースと、
リーダと
を備え、
該リーダは、
該トランスポンダからの該応答信号を認証するためのリーダ認証回路と、
リーダデータを格納するためのリーダデータベースであって、該リーダ認証回路と通信するリーダデータベースと
を備え、
該リーダデータベースは、該取引デバイスに固有の識別コードに基づいて、該リーダ認証回路に取引デバイス復号化セキュリティキーを提供するように構成されている、取引システム。
【請求項２】
前記取引デバイスは、取引デバイスユニバーサルシリアルバス（ＵＳＢ）インターフェースをさらに備える、請求項１に記載の取引システム。
【請求項３】
前記リーダは、前記呼掛け信号を前記取引デバイスに提供し、該取引デバイスからの前記応答信号を受信し、前記金融取引アカウントデータを取引完了システムに出力するように動作可能であり、
該リーダは、該呼掛け信号を提供するための呼掛け器をさらに備える、請求項１に記載の取引システム。
【請求項４】
前記リーダは、リーダユニバーサルシリアルバス（ＵＳＢ）インターフェースをさらに備える、請求項３に記載の取引システム。
【請求項５】
前記リーダは、前記金融取引アカウントデータを前記取引完了システムに提供するように構成されたリーダ通信インターフェースをさらに備える、請求項３に記載の取引システム。
【請求項６】
前記取引デバイスは、リーダ認証コードを有する呼掛け信号を受信するように構成されており、
前記取引デバイス認証回路は、前記リーダに出力するために、該リーダ認証コードを暗号化して、該暗号化された認証コードを前記トランスポンダに出力するように構成されている、請求項２に記載の取引システム。
【請求項７】
前記リーダ認証回路は、前記暗号化されたリーダ認証コードを前記取引デバイス復号化セキュリティキーを用いることによって復号化して、復号化されたリーダ認証コードを形成するように構成されており、
該リーダ認証回路は、該復号化されたリーダ認証コードを前記呼掛け信号の中に送信されたリーダ認証コードと比較するように構成されている、請求項６に記載の取引システム。
【請求項８】
前記リーダは、前記復号化されたリーダ認証コードが前記ＲＦ呼掛け信号の中に送信されたリーダ認証コードにマッチすることが決定された場合に、前記取引完了システムに前記金融取引アカウントデータを出力するように構成されている、請求項７に記載の取引システム。
【請求項９】
前記取引デバイス認証回路は、前記リーダに出力するために、取引デバイス認証コードを前記トランスポンダに提供するように構成されており、
前記リーダ認証回路は、前記取引デバイス認証コードを暗号化して、暗号化された取引デバイス認証コードを形成するように構成されており、
前記リーダは、該暗号化された取引デバイス認証コードを前記取引デバイスに出力するように構成されている、請求項３に記載の取引システム。
【請求項１０】
前記取引デバイスデータベースは、リーダ復号化セキュリティキーを前記取引デバイス認証回路に提供するように構成されており、
前記取引デバイス認証回路は、前記暗号化された取引デバイス認証コードを該リーダ復号化セキュリティキーを用いることによって復号化して、復号化された取引デバイス認証コードを形成するように構成されており、
該取引デバイス認証回路は、該復号化された取引デバイス認証コードを前記リーダに出力された取引デバイス認証コードと比較するように構成されている、請求項９に記載の取引システム。
【請求項１１】
前記取引デバイス認証回路が、前記復号化された取引デバイス認証コードが前記リーダに出力された取引デバイス認証コードにマッチすることを決定する場合に、前記金融取引アカウントデータは、暗号化された形態で前記取引デバイスに格納され、該取引デバイスは、該暗号化された金融取引アカウントデータを該リーダに提供するように構成されている、請求項１０に記載の取引システム。
【請求項１２】
前記取引デバイスは、リーダ認証コードを有する呼掛け信号を受信するように構成されており、
前記取引デバイス認証回路は、前記リーダに出力するために、該リーダ認証コードを暗号化して、該暗号化されたリーダ認証コードを前記トランスポンダに出力するように構成されており、
前記リーダデータベースは、該取引デバイスに固有の識別コードに基づいて、前記リーダ認証回路に取引デバイス復号化セキュリティキーを提供するように構成されており、
該リーダ認証回路は、該暗号化されたリーダ認証コードを該取引デバイス復号化セキュリティキーを用いることによって復号化して、復号化されたリーダ認証コードを形成するように構成されており、
該リーダ認証回路は、該復号化されたリーダ認証コードを該呼掛け信号の中に送信されたリーダ認証コードと比較するように構成されており、
該取引デバイス認証回路は、前記リーダに出力するために、取引デバイス認証コードを該トランスポンダに提供するように構成されており、
該リーダ認証回路は、該取引デバイス認証コードを暗号化して、暗号化された取引デバイス認証コードを形成するように構成されており、
該リーダは、該暗号化された取引デバイス認証コードを該取引デバイスに出力するように構成されており、
前記取引デバイスデータベースは、リーダ復号化セキュリティキーを該取引デバイス認証回路に提供するように構成されており、
該取引デバイス認証回路は、前記暗号化された取引デバイス認証コードを該リーダ復号化セキュリティキーを用いることによって復号化して、復号化された取引デバイス認証コードを形成するように構成されており、
該取引デバイス認証回路は、該復号化された取引デバイス認証コードを前記リーダに出力された取引デバイス認証コードと比較するように構成されている、請求項３に記載の取引システム。
【請求項１３】
前記リーダは、前記復号化されたリーダ認証コードが前記ＲＦ呼掛け信号の中に送信されたリーダ認証コードにマッチし、復号化された取引デバイス認証コードが該リーダに出力された取引デバイス認証コードにマッチすることが決定された場合に、前記取引完了システムに前記金融取引アカウントデータを提供するように構成されている、請求項１２に記載の取引システム。
【請求項１４】
前記リーダは、個人識別番号（ＰＩＮ）を前記取引完了システムにさらに提供し、該ＰＩＮは、前記トランスポンダを検証するように用いられる、請求項１３に記載の取引システム。
【請求項１５】
前記金融取引アカウントデータは、磁気ストライプのトラック１／トラック２フォーマットに適合する、請求項１に記載の取引システム。
【請求項１６】
前記磁気ストライプのトラック１／トラック２フォーマットは、ＩＳＯ／ＩＥＣ７８１３に準拠する、請求項１５に記載の取引システム。
【請求項１７】
前記磁気ストライプのトラック１／トラック２フォーマットのアカウントデータを前記リーダから受信するように動作可能な取引完了システムをさらに備える、請求項１５に記載の取引システム。
【請求項１８】
前記磁気ストライプのトラック１／トラック２フォーマットに適合するアカウントデータのアカウント番号は、わずか１９桁である、請求項１５に記載の取引システム。
【請求項１９】
前記磁気ストライプのトラック１／トラック２フォーマットに適合するアカウントデータは、わずか７９個の英数字である、請求項１５に記載の取引システム。
【請求項２０】
前記磁気ストライプのトラック１／トラック２フォーマットに適合するアカウントデータは、アカウント保有者名をさらに含む、請求項１５に記載の取引システム。
【請求項２１】
取引デバイスを含む取引システムを用いた金融取引方法であって、該取引デバイスは、無線周波数（ＲＦ）呼掛け信号に応答するように動作可能なトランスポンダと、該トランスポンダと通信する取引デバイス認証回路であって、該呼掛け信号を認証する取引デバイス認証回路と、金融取引アカウントデータを格納し、かつ、該金融取引アカウントデータを該取引デバイス認証回路に提供する取引デバイスデータベースとを含み、該取引システムは、呼掛け信号を提供するための呼掛け器を備えるリーダと、該トランスポンダからの応答信号を認証するために、該呼掛け器と通信するリーダ認証回路と、リーダデータを格納するためのリーダデータベースとをさらに含み、該リーダデータベースは、該リーダ認証回路と通信し、
該方法は、
該呼掛け信号を該取引デバイスに提供するステップと、
該取引デバイスからの応答信号を受信するステップであって、該応答信号は、アカウント番号とアカウント期限日とを含む金融取引アカウントデータを搬送する、ステップと、
該金融取引アカウントデータを取引完了システムに出力するステップと、
該取引デバイスに固有の識別コードに基づいて、該リーダデータベースから該リーダ認証回路に取引デバイス復号化セキュリティキーを提供するステップと
を包含する、方法。
【請求項２２】
前記取引デバイスは、リーダ認証コードを有するＲＦ呼掛け信号を受信し、前記方法は、
該取引デバイスにおいて該リーダ認証コードを暗号化するステップと、
該暗号化されたリーダ認証コードを前記リーダに出力するステップと
をさらに包含する、請求項２１に記載の方法。
【請求項２３】
前記暗号化されたリーダ認証コードを前記取引デバイス復号化セキュリティキーを用いることによって復号化して、復号化されたリーダ認証コードを形成するステップと、
該復号化されたリーダ認証コードを前記ＲＦ呼掛け信号の中に送信されたリーダ認証コードと比較するステップと
をさらに包含する、請求項２２に記載の方法。
【請求項２４】
前記復号化されたリーダ認証コードが前記ＲＦ呼掛け信号の中に送信されたリーダ認証コードとマッチすることが決定された場合に、前記リーダから前記取引完了システムに前記金融取引データを出力するステップをさらに包含する、請求項２３に記載の方法。
【請求項２５】
前記リーダに出力するために、取引デバイス認証コードを前記トランスポンダに提供するステップと、
該取引デバイス認証コードを暗号化して、暗号化された取引デバイス認証コードを形成するステップと、
該暗号化された取引デバイス認証コードを該取引デバイスに出力するステップと
をさらに包含する、請求項２１に記載の方法。
【請求項２６】
前記リーダ復号化セキュリティキーを前記取引デバイス認証回路に提供するステップと、
前記暗号化された取引デバイス認証コードを該リーダ復号化セキュリティキーを用いることによって復号化して、復号化された取引デバイス認証コードを形成するステップと、
該復号化された取引デバイス認証コードを前記リーダに出力された取引デバイス認証コードと比較するステップと
をさらに包含する、請求項２５に記載の方法。
【請求項２７】
前記取引デバイスに格納された金融取引アカウントデータは暗号化されており、前記方法は、前記復号化された取引デバイス認証コードが前記リーダに出力された取引デバイス認証コードにマッチすることが決定された場合に、該暗号化された金融取引アカウントデータを該リーダに提供するステップをさらに包含する、請求項２６に記載の方法。